(57)【要約】      （修正有）【課題】トイレットペーパーには軟らかい紙が使用されるようになってきているが、実用性を高めるためには軟らかさに加えて適度の強さとこわさが必要である。強さとこわさの調節は紙の厚さを増減させることによって行われているが、厚さの増減による強さ、こわさの調節は、実用性に欠けるばかりか資源の無駄使いにもなっている。【解決手段】軟らかいトイレットペーパーの中央部へのこわいトイレットペーパーを折り曲げて作った補強・補剛要素Ａ２の挟みこみ、こわいトイレットペーパーの中央部への軟らかいトイレットペーパーを折り曲げて作った補強・補剛要素Ｂ６の貼りつけ、軟らかいトイレットペーパーの中央部の折り曲げによる補強・補剛によって、適度の軟らかさと強さおよびこわさを兼ね備えた体に馴染みやすいトイレットペーパーにする。【選択図】図１
0003122604.tif 000002
【実用新案登録請求の範囲】
【請求項１】
軟らかいトイレットペーパーの拭き取りに使用される部分（以後、中央部ということにする）に折り曲げて作ったこわいトイレットペーパー（以後、補強・補剛要素Ａということにする）を挟み込んだ、適度の軟らかさと強さおよびこわさを兼ね備えた体に馴染みやすいトイレットペーパー（以後、はさみ込みタイプのトイレットペーパーということにする）。
【請求項２】
こわいトイレットペーパーの中央部に折り曲げて作った軟らかいトイレットペーパー（以後、補強・補剛要素Ｂということにする）を貼り付けた、適度の軟らかさと強さおよびこわさを兼ね備えた体に馴染みやすいトイレットペーパー（以後、貼りつけタイプのトイレットペーパーということにする）。
【請求項３】
中央部に折り曲げて作った補強・補剛部を持つ適度の軟らかさと強さおよびこわさを兼ね備えた体に馴染みやすい折り返しのある一体式トイレットペーパー。
【請求項４】
中央部に折り曲げて作った補強・補剛部を持つ適度の軟らかさと強さおよびこわさを兼ね備えた体に馴染みやすい折り返しのない一体式トイレットペーパー。
【請求項５】
製品は、ミシンによる切れ目を入れたロールタイプと、事前に適度の大きさにカットしたカットタイプの二種類とするが、カットタイプのトイレットペーパーについては、非携帯用と携帯用の製品化も行う。
【考案の詳細な説明】
【考案の詳細な説明】
【０００１】［考案の属する技術分野］
本考案は、トイレットペーパーの中央部の強さとこわさを補うために、こわいトイレットペーパーや軟らかいトイレットペーパーで作った補強・補剛要素の中央部への挟みこみ、貼りつけ、中央部の折り曲げによって中央部を補強・補剛したものである。
【０００２】［従来の技術］
従来は、中央部を補強・補剛した使いやすいトイレットペーパーはなかった。
【考案が解決しようとする課題】
【０００３】  軟らかいトイレットペーパーは破れやすく、こわいトイレットペーパーはこわごわして使いにくいという難点があった。本考案は。これ等の課題を解消するためになされたものである。
【課題を解決するための手段】
【０００４】  軟らかいトイレットペーパーの中央部へのこわいトイレットペーパーで作った補強・補剛要素Ａ２の挟み込み、こわいトイレットペーパーの中央部への軟らかいトイレットペーパーで作った補強・補剛要素Ｂ６の貼りつけ、中央部の折り曲げによる補強・補剛によって、適度の軟らかさと強さおよびこわさを持たせると同時に体に馴染みやすいトイレットペーパーにした。
【０００５】［考案の実施の形態］
以下、本考案の実施の形態について説明する。
（１）挟みこみタイプのトイレットペーパー
（イ）補強・補剛要素Ａ２を軟らかいトイレットペーパー３の中央部に乗せる。
（ロ）軟らかいトイレットペーパー４を補強・補剛要素Ａ２の上にかぶせ挟みこむ
（２）貼りつけタイプのトイレットペーパー
（イ）こわいトイレットペーパー７の中央部に補強・補剛要素Ｂ６を貼りつける
（３）折り返しのある一体式トイレットパーパー
（イ）軟らかいトイレットペーパー１１の短部を折り曲げて補強・補剛部９とし、折り返しをつける。
（４）折り返しのない一体式トイレットペーパー
（イ）軟らかいトイレットペーパー１２の端部を折り曲げて補強・補剛部９とし、折り返しはつけない。
【考案の効果】
【０００６】  トイレットペーパーの中央部が補強、補剛されることになるため、適度の軟らかさと強さおよびこわさを兼ね備えた体に馴染みやすい実用的なトイレットペーパーになる。
【図面の簡単な説明】
【図１】  カットされた挟みこみタイプのトイレットペーパー
【図２】  カットされた貼りつけタイプのトイレットペーパー
【図３】  カットされた折り返しのある一体式トイレットペーパー
【図４】  カットされた折り返しのない一体式トイレットペーパー
【符号の説明】
１挟みこみタイプのトイレットペーパー
２補強・補剛要素Ａ
３軟らかいトイレットペーパー
４軟らかいトイレットペーパー
５貼り付けタイプのトイレットペーパー
６補強・補剛要素Ｂ
７こわいトイレットペーパー
８折り返しのある一体式トイレットペーパー
９折り曲げて作った補強・補剛部
１０折り返しのない一体式トイレットペーパー
１１軟らかいトイレットペーパー
１２軟らかいトイレットペーパー
【図１】
0003122604.tif 000003
【図２】
0003122604.tif 000004
【図３】
0003122604.tif 000005
【図４】
0003122604.tif 000006
【手続補正書】
【提出日】平成18年2月20日(2006.2.20)
【手続補正２】
【補正対象書類名】実用新案登録請求の範囲
【補正対象項目名】全文
【補正方法】変更
【補正の内容】
【実用新案登録請求の範囲】
【請求項１】
重ねて設けられた２枚の柔らかいトイレットペーパーからなる主材と、こわいトイレットペーパーを重ねて折り曲げて形成された補強・補剛要素とを備え、この補強・補剛要素が主材の中央部に一方向に延設して配置されるとともに、主材の各柔らかいトイレットペーパー間に挟み込まれていることを特徴とするトイレットペーパー。
【請求項２】
こわいトイレットペーパーからなる主材と、柔らかいトイレットペーパーを重ねて折り曲げて形成された補強・補剛要素とを備え、この補強・補剛要素が主材の中央部に一方向に延設して配置されるとともに、貼りつけられていることを特徴とするトイレットペーパー。
【請求項３】
柔らかいトイレットペーパーからなる主材の一方の端部側を重ねて折り曲げて補強・補剛要素を形成し、この補強・補剛要素を中央部の一方向に延設して配置するとともに覆うように折り曲げて形成されていることを特徴とするトイレットペーパー。
【請求項４】
補強・補剛要素を包み込むように他方の端部側を折り曲げて形成された請求項３記載のトイレットペーパー。
【手続補正３】
【補正対象書類名】明細書
【補正対象項目名】全文
【補正方法】変更
【補正の内容】
【考案の詳細な説明】
【技術分野】
【０００１】  本考案は、トイレットペーパーの構造に関し、詳細には、拭き取りに使用される部位である中央部の強さとこわさを改善したトイレットペーパーに関するものである。
【背景技術】
【０００２】  従来のイレットペーパーにおいて、柔らかいトイレットペーパーやこわいトイレットペーパーが一般に使用されており、中央部を補強・補剛した使いやすいトイレットペーパーはなかった。
【考案の開示】
【考案が解決しようとする課題】
【０００３】  従来の柔らかいトイレットペーパーは、使用時に破れやすく、こわいトイレットペーパーはごわごわして使いにくいという難点があった。本考案の課題は、これらの問題点を解消するためになされたもので、中央部に適度の柔らかさと強さおよびこわさを兼ね備えたトイレットペーパーを提供することにある。
【課題を解決するための手段】
【０００４】  本考案は、前記課題を達成するために、こわいトイレットペーパー又は柔らかいトイレットペーパーを重ねて折り曲げて形成された補強・補剛要素をトイレットペーパーの中央部の一方向に延設して配置し、中央部の表面を柔らかいトイレットペーパーで形成することにより、トイレットペーパーの中央部に柔らかさと強さおよびこわさを付与するようになっている。【０００５】  すなわち、本考案のトイレットペーパーは、重ねて設けられた２枚の柔らかいトイレットペーパーからなる主材と、こわいトイレットペーパーを重ねて折り曲げて形成された補強・補剛要素とを備え、この補強・補剛要素が主材の中央部に一方向に延設して配置されるとともに、主材の各柔らかいトイレットペーパー間に挟み込まれていることを特徴としている。こわいトイレットペーパーからなる主材と、柔らかいトイレットペーパーを重ねて折り曲げて形成された補強・補剛要索とを備え、この補強・補剛要素が主材の中央部に一方向に延設して配置されるとともに、貼りつけられていることを特徴としていてもよい。また、柔らかいトイレットペーからなる主材の一方の端部側を重ねて折り曲げて補強・補剛要素を形成し、この補強・補剛要素を中央部の一方向に延設して配置するとともに覆うように折り曲げて形成されていることを特徴としていてもよい。その際、補強・補剛要素を包み込むように他方の端部側を折り曲げて形成されていてもよい。
【考案の効果】
【０００６】  本考案は、以上のように構成されているので、以下に記載されたような効果を奏する。重ねて設けられた２枚の柔らかいトイレットペーパーからなる主材を備えたトイレットペーパーについては、拭き取りに使用される部位である中央部にこわいトイレットペーパーからなる補強・補剛要素が配置されているため、主材である柔らかいトイレットペーパーの弱さが補強されて強くなり、中央部の表面が柔らかいトイレットペーパーで形成されているため、柔らかさが確保される。こわいトイレットペーパーからなる主材を備えたトイレットペーパーについては、補強・補剛要素が柔らかいトイレットペーパーで形成されているため、中央部におけるこわいトイレットペーパーのごわごわした感じが抑制されるとともに、柔らかさが確保される。柔らかいトイレットペーパーを主材とするトイレットペーパーについては、補強・補剛要素が一方の端部側を重ねて折り曲げて形成され、中央部が積層された構造になるため、柔らかいトイレットペーパーの弱さが補強されて強くなるとともに、柔らかさが確保される。また、いずれのトイレットペーパーも中央部が柔らかく強くおよびこわさを兼ね備えているため、使用時に体に馴染みやすく実用に適したものが得られる。
【考案を実施するための最良の形態】
【０００７】  以下、本考案の実施の形態を図面に基づいて説明する。図１〜４は、第１の実施の形態の概念的な説明図で、事前に適度の大きさにカットされたものを示す。図１〜４において、１０は２枚の柔らかいトイレットペーパーからなる主材１１の間にこわいトイレットペーパーを重ねて折り曲げて形成された補強・補剛要素１２を挟み込んでなるトイレットペーパーである（以下、挟み込みタイプのトイレットペーパーという。）。この挟み込みタイプのトイレットペーパー１０は、補強・補剛要素１２を図４に示すようにこわいトイレットペーパーを重ねて折り曲げて形成し、図３に示す主材１１の一方の柔らかいトイレットペーパーの中央部に一方向に延設するように配置し、他方の柔らかいトイレットペーパーを補強・補剛要素１２の上からかぶせて挟み込むことにより形成されている。なお、図２は、主材１１の形状が補強・補剛要素１２の付近において折り曲げられているかのように表示されているが、主材１１が柔らかいトイレットペーパーで形成されていることから想定して表示されたものであり、主材１１と補強・補剛要素１２との関係を象徴的に表示しているに過ぎない。【０００８】  図５〜８は、第２の実施の形態の概念的な説明図であり、事前に適度の大きさにカットされたものを示す。図５〜８において、２０はこわいトイレットペーパーからなる主材２１の中央部に柔らかいトイレットペーパーを重ねて折り曲げて形成された補強・補剛要素２２を貼りつけてなるトイレットペーパーである（以下、貼りつけタイプのトイレットペーパーという。）。この貼りつけタイプのトイレットペーパー２０は、補強・補剛要素２２を図８に示すように柔らかいトイレットペーパーを重ねて折り曲げて形成し、図７に示す主材２１の中央部に一方向に延設して貼りつけることにより形成されている。【０００９】  図９〜１１は、第３の実施の形態の概念的な説明図であり、事前に適度の大きさにカットされたものを示す。図９〜１１において、３０は柔らかいトイレットペーからなる主材３１の一方の端部側３１ａを重ねて折り曲げて補強・補剛要素３２を形成し、この補強・補剛要素３２が中央部の一方向に延設して配置されるとともに覆われるように第１折曲部３０ａで折り曲げて形成されたトイレットペーパーである（以下、折り返しのない一体式タイプのトイレットペーパーという。）。なお、３１ｂは主材３１の他方の端部である。また、図１０は、主材３１の形状が補強・補剛要素１２の付近において折り曲げられているかのように表示されているが、主材３１が柔らかいトイレットペーパーで形成されていることから想定して表示されたものであり、主材３１と補強・補剛要素３２との関係を象徴的に表示しているに過ぎない。【００１０】  図１２〜１４は、第４の実施の形態の概念的な説明図であり、事前に適度の大きさにカットされたものを示す。図１２〜１４において、４０は柔らかいトイレットペーからなる主材４１の一方の端部側４１ａを重ねて折り曲げて補強・補剛要素４２を形成し、この補強・補剛要素４２が中央部の一方向に延設して配置されるとともに覆われるように第１折曲部４０ａで折り曲げて形成され、さらに補強・補剛要素４２を包み込むように他方の端部���１ｂ側を第２折曲部４０ｂで折り曲げて形成されたトイレットペーパーである（以下、折り返しのない一体式タイプのトイレットペーパーという。）。なお、図１１は、主材４１の形状が補強・補剛要素４２の付近において折り曲げられているかのように表示されているが、主材４１が柔らかいトイレットペーパーで形成されていることから想定して表示されたものであり、主材４１と補強・補剛要素４２との関係を象徴的に表示しているに過ぎない。【００１１】  各実施の形態のトイレットペーパー１０，２０，３０，４０は、事前に適度の大きさにカットされた状態のものであるが、ミシン目状の切れ目が形成されたロールタイプのものであってもよいことはいうまでもない。
【図面の簡単な説明】
【００１２】
【図１】本考案の第１実施の形態を示す平面図である。
【図２】本考案の第１実施の形態を示す側面図である。
【図３】本考案の第１実施の形態の要部である主材を示す側面図である。
【図４】本考案の第１実施の形態の要部である補強・補剛要素を示す平面図である。
【図５】本考案の第２実施の形態を示す平面図である。
【図６】本考案の第２実施の形態を示す側面図である。
【図７】本考案の第２実施の形態の要部である主材を示す側面図である。
【図８】本考案の第２実施の形態の要部である補強・補剛要素を示す平面図である。
【図９】本考案の第３実施の形態を示す平面図である。
【図１０】本考案の第３実施の形態を示す側面図である。
【図１１】本考案の第３実施の形態の要部である主材を示す平面図である。
【図１２】本考案の第４実施の形態を示す平面図である。
【図１３】本考案の第４実施の形態を示す側面図である。
【図１４】本考案の第４実施の形態の要部である主材を示す平面図である。
【符号の説明】
【００１３】  １０，２０，３０，４０  トイレットペーパー
１１，２１，３１，４１  主材
１２，２２，３２，４２  補強・補剛要素
３１ａ，３１ｂ，４１ａ，４１ｂ  主材の端部
３０ａ，４０ａ  第１折曲部
４０ｂ  第２折曲部
【手続補正４】
【補正対象書類名】図面
【補正対象項目名】全図
【補正方法】変更
【補正の内容】
【図１】
0003122604.tif 000007
【図２】
0003122604.tif 000008
【図３】
0003122604.tif 000009
【図４】
0003122604.tif 000010
【図５】
0003122604.tif 000011
【図６】
0003122604.tif 000012
【図７】
0003122604.tif 000013
【図８】
0003122604.tif 000014
【図９】
0003122604.tif 000015
【図１０】
0003122604.tif 000016
【図１１】
0003122604.tif 000017
【図１２】
0003122604.tif 000018
【図１３】
0003122604.tif 000019
【図１４】
0003122604.tif 000020